(57)【要約】【目的】外部からプラグホールへの水の浸入を防止すると同時に、水が空気抜き通路に浸入した場合であっても、早期に空気抜き通路を確保すべく水の蒸発が容易に行える内燃機関用点火装置の防水構造を提供する。【解決手段】点火プラグに高電圧を供給する点火コイルを備え、当該点火装置にはプラグホールの内部と外部とを遮断するレインカバー部を備え、当該レインカバー部にはプラグホール内部とプラグホール外部とを連通する空気連通溝を形成した点火装置において、前記空気連通溝が複数の略同心円の円周溝と、当概円周溝を連通する補助溝とから構成ずる。【選択図】図１
2006118360.tif 000002
【特許請求の範囲】
【請求項１】
点火プラグに高電圧を供給する点火コイルを備え、当該点火装置にはプラグホールの内部と外部とを遮断するレインカバー部を備え、当該レインカバー部にはプラグホール内部とプラグホール外部とを連通する空気連通溝を形成した点火装置において、前記空気連通溝が複数の略同心円の円周溝と、当概円周溝を連通する補助溝とから構成されていることを特徴とする内燃機関用点火装置の防水構造。
【請求項２】
空気連通溝は全周にわたって同じ幅と深さにより形成されたことを特徴とする請求項１に記載の内燃機関用点火装置の防水構造。
【請求項３】
空気連通溝の所定間隔に溝幅を保持するリブを配置したことを特徴とする請求項１に記載の内燃機関用点火装置の防水構造。
【請求項４】
空気抜き通路を形成するそれぞれの円周溝の間には複数の補助溝により連通されていることを特徴とする請求項１に記載の内燃機関用点火装置の防水構造。
【発明の詳細な説明】
【技術分野】
【０００１】
本発明は内燃機関用の点火装置に関し、特にプラグホールの開口部を覆う防水構造に関する。
【背景技術】
【０００２】
従来より、燃焼室に近接して形成されるプラグホールを有する内燃機関では、当該プラグホールに点火プラグを装着すると共に、当該点火プラグに高電圧を供給する点火装置が接続されている。点火装置には、主に１次２次コイルや鉄心等から形成される点火コイル部をプラグホール外に配置するものと、当該点火コイルをプラグホール内に配置するものが提案されているが、何れのタイプの点火装置においても、前記プラグホール上部にはレインカバーを設け、当該レインカバーがプラグホール内への防水構造を形成している。
【０００３】
上記レインカバーは、内燃機関のプラグホールの特性上、外部からプラグホールへの水の浸入は防止するするが、プラグホールから外部に対しては内燃機関駆動時の熱等によるプラグホール内の膨張空気を外部に吐出する空気抜き構造も同時に満足することが重要なものとなっている。
【０００４】
従来では、特許３１４５８８０号公報に記載のような内燃機関用点火プラグと、点火コイルの接続構造が提案されており、当該特許においては空気抜き通路の途中に、大容量の吸収空間を形成することで外部からプラグホールへの水の浸入を防止すると共に、プラグホールから外部への空気抜き構造も兼ねている。
【特許文献１】特許３１４５８８０号
【発明の開示】
【発明が解決しようとする課題】
【０００５】
しかしながら従来の空気抜き通路では次のような問題が生じている。すなわち、上記レインカバーは、外部からプラグホールへの水の浸入の防止と、プラグホールから外部への空気抜きという作用があるが、従来のように大容量の吸収空間に水が溜まる場合では、当該溜まった水の蒸発に時間がかかり、プラグホールからの空気抜き作用が妨げられるといった問題が生じている。
【０００６】
本発明はこのような課題に鑑みてなされたもので、この目的は、外部からプラグホールへの水の浸入を防止すると同時に、水が空気抜き通路に浸入した場合であっても、早期に空気抜き通路を確保すべく水の蒸発が容易に行える内燃機関用点火装置の防水構造を提供することにある。
【課題を解決するための手段】
【０００７】
上記課題を解決するために、本発明では次のような構成とする。すなわち、点火プラグに高電圧を供給する点火コイルを備え、当該点火装置にはプラグホールの内部と外部とを遮断するレインカバー部を備え、当該レインカバー部にはプラグホール内部とプラグホール外部とを連通する空気連通溝を形成した点火装置において、前記空気連通溝が複数の略同心円の円周溝と、当概円周溝を連通する補助溝とから構成されていることを特徴とする内燃機関用点火装置の防水構造とする。また、前記空気連通溝は全周にわたって同じ幅と深さにより形成してもよいし、空気連通溝の所定間隔に溝幅を保持するリブを配置してもよいし、空気抜き通路を形成するそれぞれの円周溝の間には複数の補助溝により連通していてもよい。
【発明の効果】
【０００８】
上記構成により、外部からの水の浸入が抑制されると同時にプラグホール内からの空気抜きも同時に行える防水構造において、水の蒸発がより早期に行える構造の内燃機関用点火装置の防水構造が提供できる。
【発明を実施するための最良の形態】
【０００９】
本発明の実施例を図１により説明する。図１には点火装置のレインカバー上面図を示している。図１において、レインカバー10はゴム製の弾性材から形成され、点火装置ケースとの接触面には後述の空気連通溝12が形成されている。
【００１０】
上記レインカバー10はプラグホールの開口部を塞ぐ位置に設けられ、空気連通溝18は、プラグホール外に開口する外気連通溝11と、プラグホール内に開口するプラグホール連通溝13と同心円上の複数の円周溝12、及びこれらを連通する補助溝15とから構成されている。第１の実施例とする図１においては、円周溝12は２つの円周溝からなり、当該それぞれの円周溝の間には補助溝15aが設けてある。そして、外気より外気連絡溝11から円周溝12a、補助溝15、円周溝12b、プラグホール連通溝13を介してプラグホールへ連通している。また、図１において、レンカバー最内周の位置決め溝14はレインカバーを点火コイル本体に装着する作業において、プラグホール連通溝の位置決めを不要にするために設けてある。
【００１１】
また、本発明の第２実施例を図２に示すが、本実施例では、前記第１の実施例では外気連通溝11と補助溝15a、プラグホール連通溝13が円周上１８０度ずれて設けているが、本題２実施例においては、約６０度の位置に２カ所に設けると共に、補助溝15bと15cといったように、２つの円周溝間に２カ所設けている。このような構造により、例えば外気連通溝11−補助溝15C間に水が溜まり詰まった状態であっても、反対方向の外気通路11−補助溝15b間において空気抜き作用が得られる。
【００１２】
また、第３の実施例として示す図３においては、円周溝の所定間隔にリブを配置し、点火装置に装着した際の力による溝の潰れを防止している。当該リブの高さは、溝自体の高さより低くなっていることは言うまでもなく、水と空気の流れを妨げない程度の高さで形成されている。また、図３に示される構造として、円周溝12は同心円周上に３つ有り、前記プラグホール連通溝13と位置決め溝14に変えて空気抜き孔16を設けているが、これら構造は第３の実施例に限定することなく第１第２実施例において用いてもよい。
【００１３】
また、上記構成のレインカバーは点火コイルをプラグホール外に配置する点火装置であっても、或いは点火コイルをプラグホールに埋設する点火装置であっても、何れのタイプの点火装置であっても使用可能である。
【図面の簡単な説明】
【００１４】
【図１】本発明の第１の実施例とするレンカバーの上面図を示す
【図２】本発明の第２の実施例とするレンカバーの上面図を示す
【図３】本発明の第３の実施例とするレンカバーの上面図を示す
【符号の説明】
【００１５】
１０  レインカバー
１１  外気連通溝
１２  円周溝
１３  プラグホール連通溝
１４  位置決め溝
１５  補助溝
１６  空気抜き孔
１７  リブ
１８  空気連通溝
【図１】
2006118360.tif 000003
【図２】
2006118360.tif 000004
【図３】
2006118360.tif 000005